【事件の表示】
　平成　４年特許願第１０３３９４号「電子タイマの仕様切換装置」拒絶査定不服審判事件〔平成　５年１１月１２日出願公開、特開平　５−２９８９８０号〕について、次のとおり審決する。
【結　論】
　本件審判の請求は、成り立たない。
【理　由】
１．手続の経緯・本願発明
　本願は、平成４年４月２３日の出願であって、その特許請求の範囲の請求項１に係る発明は、平成１６年１２月６日付けの手続補正によって補正された明細書および図面の記載からみて、特許請求の範囲の請求項１に記載されたとおりのものと認められ、その請求項１に係る発明（以下、「本願発明」という。）は、次のとおりのものである。
「仕様を切換えるための接点パターンを有するプリント基板と、プリント基板の接点パターン上を回転しながら弾性的に摺動するスイッチ摺動子とで構成される電子タイマ仕様切換装置において、スイッチ摺動子に弾性片を３個放射状に設け、各弾性片にそれぞれ接点パターンに弾接して接触する接点を設けると共に、この弾性片にそれぞれ設けた接点のスイッチ摺動子の回転中心からの距離をそれぞれ異ならせ、各弾性片にそれぞれ突部を設け、各突部の回転中心からの距離をすべて等しくし、プリント基板に対するスイッチ摺動子の回転中心を中心として回りに複数の接点パターンを設けると共に、各接点パターンより内側にそれぞれ穴を設け、プリント基板に対するスイッチ摺動子の回転中心から各穴までの距離を等しく且つスイッチ摺動子の回転中心から突部までの距離に等しくし、スイッチ摺動子の回転中に各接点及び突部がプリント基板に当たり且つスイッチ摺動子の接点がプリント基板の所定位置に位置した状態で突部が穴に嵌まり込むように設定して成ることを特徴とする電子タイマの仕様切換装置。」
　
２．引用刊行物記載の発明
（引用刊行物１）
　原査定の拒絶の理由に引用された本願出願前に頒布された刊行物である実公昭５１−３３９７２号公報（以下、「引用刊行物１」という。）には、図面と共に次の事項が記載されている。
（ア）「以下この考案を図面に示す実施例について詳細に説明する。図において、９はフエノール樹脂などからなる絶縁物製の基板１１，１２，１３，１４，１５，１６，１７はそれぞれ固定接点、１８はコモン固定接点である。各固定接点１１ないし１８はプリント配線の手法で設けられ、絶縁用の溝３１，３２，３３，３４，３５，３６，３７によつて所定の角度に区分されており、またプリント配線手法によつて接続端子１，２，３，４，５，６，７，８にそれぞれ接続されている。２１はたとえば電磁石により駆動されるラチエツト式回転手段２０などにより回転せしめられる回転軸１０によつて基板９の軸穴１９に軸着されたリン青銅などの弾性に富む金属板からなる回転接触子であり、たとえば３本の接触脚を備え、その各脚にはそれぞれ回転接点２２，２３，２４を有する。
　回転接点２２，２３，２４はいずれも回転接触子２１の接触脚の部分の弾性によつて適当な圧力で各固定接点１１ないし１８に圧接しつつ回転されるよう構成されている。この考案の特徴は各回転接点の回転軸からの距離をそれぞれ少しずつ異なるよう設計した点にある。すなわち図において回転接点２２は回転軸に最も近く、２３は中庸の位置にあり、２４は最も遠い位置にある。このように構成したことにより回転スイツチにおいていて各回転接点２２，２３，２４は回転する場合に各固定接点１１ないし１８上においてそれぞれ少しずつ大きさの異なる円形軌跡を描いて回転する。
　したがつて各固定接点１１ないし１８は回転接触子の一回転によつて、それぞれ各回転接点により一回だけ摺動させるに過ぎない。
　従来の回転スイツチにおいては各固定接点が回転接触子の一回転によつてその回転接点の数の回数だけ同一部分をこすられて早く固定接点が消耗していたのに対し、この考案の回転スイツチは回転接点による摺動回数が数分の１となり、各固定接点の寿命が数倍になり、長期間安定した性能を保持することができる。」（第１頁第２欄第８行〜第２頁第３欄第７行）
（イ）第１図には、回転接触子２１に接触脚が３本放射状に設けられていると共に、基板９に対する回転接触子２１の回転軸１０を中心として回りに複数の固定接点１１ないし１８が設けられていることが図示されている。
　
　上記記載事項及び図示内容を総合すると、引用刊行物１には、「絶縁用の溝３１ないし３７によって所定の角度に区分された固定接点１１ないし１８がプリント配線の手法で設けられた基板９と、基板９に設けられた固定接点１１ないし１８に弾性によって圧接しつつ回転される回転接触子２１とで構成される回転スイツチにおいて、回転接触子２１に弾性を有する接触脚を３本放射状に設け、各接触脚にそれぞれ固定接点１１ないし１８に弾性によって圧接する回転接点２２，２３，２４を設けると共に、この接触脚にそれぞれ設けた回転接点２２，２３，２４の回転接触子２１の回転軸１０からの距離をそれぞれ少しずつ異なるようにし、基板９に対する回転接触子２１の回転軸１０を中心として回りに複数の固定接点１１ないし１８を設けた回転スイツチ。」の発明（以下、「引用刊行物１記載の発明」という。）が記載されていると認める。
　
（引用刊行物２）
　原査定の拒絶の理由に引用された本願出願前に頒布された刊行物である実公平３−３０９８５号公報（以下、「引用刊行物２」という。）には、図面と共に次の事項が記載されている。
（ウ）「タイマ本体の前面部に設けられた歯車ボツクスと、仕様を切り換えるための接点パターンを有し上記歯車ボツクスの後面側に取付けられたプリント基板と、歯車ボツクス内に回動可能に収納され前面に時間単位表示を設けた第１の表示歯車と、歯車ボツクス内に回動可能に収納され前面に時間目盛表示を設けた第２の表示歯車と、歯車ボツクス内に回動可能に収納され前面に動作モード仕様表示を設けた第３の表示歯車と、第１、第２、第３の表示歯車のそれぞれと連動するスイツチ歯車と、各スイツチ歯車に取付けられ上記プリント基板の接点パターン上を摺動するスイツチ摺動子と、上記歯車ボツクスの前面側を閉鎖するごとく取付けられ第１、第２、第３の表示歯車の各表示が露出する表示窓を設けた銘板とを備え、第２の表示歯車の、時間目盛表示のゼロ表示の各基準位置の近傍に基準線ａを設け、銘板の、第２の表示歯車の時間目盛表示が表出する時間目盛表示窓のうち基準表示窓の一部に、基準線ａが一致する凹部を設けたことを特徴とする電子タイマの仕様切換装置。」（第１頁、実用新案登録請求の範囲）
（エ）「上記プリント基板７の前面には、中央に摺動抵抗体８が設けられており、この摺動抵抗体８に摺動子９が常時摺接するように、摺動子収納部材１０がプリント基板７に回動可能に取付けられている。また、プリント基板７の前面外周部には１個の動作表示素子１５と３個の支持孔１６，１８，２９と各支持孔１６，１８，２０のまわりに各仕様切換用の接点パターン１７，１９，２１が設けられている。すなわち、図示した右上の接点パターン（動作モード用接点パターン）１７は限時動作や瞬時動作限時復帰、繰り返し動作などの動作モードを切換えるものであり、右下の接点パターン（時間単位用接点パターン）１９は時、分、秒などの時間単位を切換えるものであり、左下の接点パターン（時間目盛用接点パターン）２１は時間目盛を切換えるものである。」（第２頁第４欄第２２〜３７行）
　
（引用刊行物３）
　同じく、原査定の拒絶の理由に引用された本願出願前に頒布された刊行物である実願昭５９−１４９８０１号（実開昭６１−６５６３３号）のマイクロフィルム（以下、「引用刊行物３」という。）には、図面と共に次の事項が記載されている。
（オ）「（１）　中央にリング部を有し該リング部をはさんで接点と突起がそれぞれ対称に設けられた導電板と、該導電板を取付ける取付部と下部に係合爪を有する樹脂製摘子と、前記導電板のリング部に対応する丸孔を有し該丸孔の周囲の前記導電板の接点に対応する位置に導電パターンを有し前記導電板の突起に対応する位置に透孔を適当数個設けたプリント基板とを備え、
　前記導電板を前記摘子の取付部に取付けて一体化し、前記摘子の係合爪を前記プリント基板の丸孔に係合させ且つ前記導電板の突起を前記プリント基板の透孔に係合させ前記導電板の接点を前記導電パターンに接触または非接触状態にさせて前記導電パターン間を導通または非導通状態にすることを特徴とするスイッチ装置。」（明細書第１頁、実用新案登録請求の範囲）
（カ）「摘子の係合爪がプリント基板の丸孔に係合され摘子はこの係合爪を軸に回転するので、導電板に設けられた突起は丸孔の周囲に設けた透孔に順次係合され、導電板に設けられた接点は導電パターンと他の箇所に順次接触するようになっている。」（同第３頁第８〜１２行）
（キ）「（１）はりん青銅板にニッケルメッキを施した導電板で、中央にリング部（１ａ）を有しリング部（１ａ）をはさんで直線部（１ｂ）に接点（１ｃ）と突起（１ｄ）がそれぞれ対称に形成され、直線部（１ｂ）の端部（１ｅ）には舌片（１ｆ）が設けられている。」（同第３頁第１６〜２０行）
（ク）「（３）はプリント基板で丸孔（３ａ）を有し、丸孔（３ａ）の周囲には２箇所導電パターン（３ｂ）が設けられ、透孔（３ｃ）が丸孔（３ａ）を中心に前述した導電板（１）の突起（１ｄ）に対応する位置に４箇所それぞれ９０度ずつの間隔で配置されている。透孔（３ｃ）の内の２個は導電パターン（３ｂ）内に丸孔（３ａ）をはさんで相対向するように配置され、他の２個は導電パターン（３ｂ）のない部分（３ｄ）に丸孔（３ａ）をはさんで相対向するように配置されている。
　而して、導電板（１）の直線部（１ｂ）端部（１ｅ）の舌片（１ｆ）を摘子（２）の取付部（２ｂ）端部（２ｃ）の切欠（２ｄ）に圧入し折曲して導電板（１）を摘子（２）に取付けて一体化する。
　次にこの一体化された摘子（２）の係合爪（２ａ）をプリント基板（３）の丸孔（３ａ）に係合させ、導電板（１）の突起（１ｄ）を導電パターン（３ｂ）内の透孔（３ｃ）に係合させ、接点（１ｄ）を導電パターン（３ｂ）に接触させる。これにより導電パターン（３ｂ）（３ｂ）は導通状態、即ちオンになる。第２図はこの状態を示す断面図である。
　オフにするには摘子（２）を９０度回転させ、導電板（１）の突起（１ｄ）を導電パターン（３ｂ）のない部分（３ｄ）内の透孔（３ｃ）に係合させ接点（１ｃ）を導電パターン（３ｂ）のない部分（３ｄ）に接触させる。これにより導電パターン（３ｂ）（３ｂ）は非導通状態、即ちオフになる。
　更に摘子（２）を左右いずれかに９０度回転させれば、再び導電パターン（３ｂ）（３ｂ）は導通状態、即ちオンになる。このように摘子（２）を９０度ずつ回転させることによって、導電パターン（３ｂ）（３ｂ）間をオン、オフさせることができる。
　尚、導電パターンは必要に応じ適宜増加することも可能であり、例えば第３図のように導電パターン（３ｂ）を丸孔（３ａ）の周囲に４箇所設け、４５度ずつの間隔で透孔（３ｃ）を設けて２回路のオン、オフを切替ることもできる。
　（ト）考案の効果
　以上説明したように本考案によれば、摘子に取付けられた導電板に設けられた突起と接点がプリント基板に設けられた導電パターンと他の箇所に順次接触することによりスイッチとしての機能を果すので、接点と端子の数も少なく部品点数が少なくてすむ。従って、使用目的に応じてプリント基板の導電パターンを設定すればよく、使いやすく且つ安価に製造できる。」（同第４頁第５行〜第６頁第１０行）
（ケ）第１〜３図には、導電板１が複数の直線部１ｂを有し、複数の直線部１ｂにはそれぞれ接点１ｃと突起１ｄが設けられ、各突起１ｄの回転中心からの距離をすべて等しくするとともに、プリント基板３に導電板１の回転中心からの距離が等しく且つ導電板１の回転中心から突起１ｄまでの距離に等しい複数の透孔３ｃを設けることが図示されている。
　
３．対比
　そこで、本願発明（以下、「前者」という。）と引用刊行物１記載の発明（以下、「後者」という。）とを対比すると、
　後者における「絶縁用の溝３１ないし３７によって所定の角度に区分された固定接点１１ないし１８」が、その機能・構造等からみて前者における「接点パターン」に相当し、以下同様に、「絶縁用の溝３１ないし３７によって所定の角度に区分された固定接点１１ないし１８がプリント配線の手法で設けられた基板９」が「接点パターンを有するプリント基板」に、「基板９に設けられた固定接点１１ないし１８に弾性によって圧接しつつ回転される」が「プリント基板の接点パターン上を回転しながら弾性的に摺動する」に、「回転接触子２１」が「スイッチ摺動子」に、「弾性を有する接触脚」が「弾性片」に、「３本放射状に設け」が「３個放射状に設け」に、「弾性によって圧接する」が「弾接して接触する」に、「回転接点２２，２３，２４」が「接点」に、「回転軸１０」が「回転中心」に、「少しずつ異なるようにし」が「異ならせ」に、それぞれ相当している。
　また、前者の「電子タイマ仕様切換装置」は、「スイッチ摺動子」が「プリント基板の接点パターン上を回転しながら弾性的に摺動」する回転スイッチといえるから、後者の「回転スイツチ」とは、「回転スイッチ」という概念で共通している。
　
　したがって、両者は、
「接点パターンを有するプリント基板と、プリント基板の接点パターン上を回転しながら弾性的に摺動するスイッチ摺動子とで構成される回転スイッチにおいて、スイッチ摺動子に弾性片を３個放射状に設け、各弾性片にそれぞれ接点パターンに弾接して接触する接点を設けると共に、この弾性片にそれぞれ設けた接点のスイッチ摺動子の回転中心からの距離をそれぞれ異ならせ、プリント基板に対するスイッチ摺動子の回転中心を中心として回りに複数の接点パターンを設けた回転スイッチ。」
である点で、一致しており、以下の点で、相違している。
　
　相違点１：回転スイッチが、前者では、「仕様を切換えるための」「電子タイマ仕様切換装置」に用いられるものであるのに対して、後者では、回転スイッチの用途が明確でない点。
　相違点２：前者では、「各弾性片にそれぞれ突部を設け、各突部の回転中心からの距離をすべて等しくし、」「各接点パターンより内側にそれぞれ穴を設け、プリント基板に対するスイッチ摺動子の回転中心から各穴までの距離を等しく且つスイッチ摺動子の回転中心から突部までの距離に等しくし、スイッチ摺動子の回転中に各接点及び突部がプリント基板に当たり且つスイッチ摺動子の接点がプリント基板の所定位置に位置した状態で突部が穴に嵌まり込むように設定して成る」のに対して、後者では、そのような構成となっていない点。
　
４．当審の判断
　そこで、これらの相違点について検討する。
　相違点１について、
　引用刊行物２には、「スイッチ摺動子」が「プリント基板の接点パターン上を回転しながら弾性的に摺動する」回転スイッチを、「仕様を切換えるための」「電子タイマ仕様切換装置」として用いることが記載されており、同様の回転スイッチである後者の回転スイッチを、「仕様を切換えるための」「電子タイマ仕様切換装置」として用いることができない特段の事情があるものとも認められないから、「仕様を切換えるための」「電子タイマ仕様切換装置」として用いるようにすることは、当業者であれば容易に想到し得ることである。
　相違点２について、
　引用刊行物３には、係合爪２ａを軸に回転する導電板１（「スイッチ摺動子」に相当）を取付けた摘子２を有するスイッチ装置（「回転スイッチ」に相当）において、接点１ｃを設けた導電板１の複数の直線部１ｂにそれぞれ突起１ｄ（「突部」に相当）を設け、各突起１ｄの回転中心からの距離をすべて等しくし、プリント基板３に導電板１の回転中心からの距離が等しく且つ導電板１の回転中心から突起１ｄまでの距離に等しい複数の透孔３ｃ（「穴」に相当）を設け、摘子２が回転すると各接点１ｃ及び突起１ｄがプリント基板３に設けられた導電パターン３ｂと他の箇所に順次接触し（「プリント基板に当たり」に相当）且つ接点１ｃがプリント基板３の導電パターン３ｂに接触する位置（「所定位置」に相当）に位置した状態で突起１ｄが透孔３ｃに係合する（「嵌まり込む」に相当）ようにすることが記載されている。
　引用刊行物３に記載された透孔３ｃは、導電パターン３ｂ内にも配置されているが、接点１ｄと導電パターン３ｂの接触により電気的に導通状態となるものであるから、透孔３ｃに係合する突起１ｄは電気的導通を必須としないものであることは明らかであり、突起１ｄが係合される透孔３ｃを導電パターンを避けた内側等に設ける程度のことは単なる設計的事項にすぎないものである。そうすると、前者の相違点２に係る構成とすることは、後者に引用刊行物３に記載された発明を適用することにより当業者であれば容易に想到し得ることである。
　
　なお、請求人は請求の理由において、引用刊行物３では一対の突起を１８０°回転対称の位置に設けてあるだけで、このようなものから放射状に配置した３つの弾性片に夫々突起を設けることで３点の突起がプリント基板に摺接するようにすることなど想到し得ない。本願発明は放射状に設けた３つの弾性片にそれぞれ設けた突起がプリント基板に摺接するために３点の突起がプリント基板に対して摺接するためにスイッチ摺動子が回転するときに傾いたりすることなく、各接点の接点圧力が高くなったりすることがなく、スイッチ摺動子を円滑に回転できる旨主張しているが、引用刊行物３の突起が設けられた導電板１も上述したように回転スイッチのスイッチ摺動子に相当するものといえ、同様の回転スイッチのスイッチ摺動子に設けられた突部の構成を引用刊行物１記載の発明の３本の接触脚に適用することができない特段の事情があるものとは認められず、適用することにより放射状に設けた３つの弾性片にそれぞれ突起を設け、３点の突起がプリント基板に摺接する構成となるのであるから、請求人の上記主張は採用することができない。
　
　また、本願発明の効果も引用刊行物１記載の発明及び引用刊行物２、３に記載された発明に基づいて当業者が予測し得る範囲内のものにすぎない。
　
５．むすび
　したがって、本願発明は、引用刊行物１記載の発明及び引用刊行物２、３に記載された発明に基いて当業者が容易に発明をすることができたものであるので、特許法第２９条第２項の規定により特許を受けることができない。
　よって、結論のとおり審決する。